(57)【要約】【課題】  組立時に逆止弁（ボール）がスプリングから外れてしまうという問題があった。【解決手段】  逆止弁２２、３４を、両端に開口部が設けられた中空状のブッシュ２３と、ブッシュ２３の内部に収納され、ブッシュ２３の上流側の開口部２３ａより径が大きいボール２４と、ボール２４をブッシュ２３の開口部２３ａに付勢するボール付勢スプリング２５と、ボール付勢スプリング２５の一端を係止し、ブッシュ２３の下流側の開口部２３ｂに着脱自在に装着された中空状のブッシュ蓋２６により一体的に構成させたので、ボール２４とスプリング２５を正確かつ容易に位置決めして逆止弁２２、３４を組み立てることができる。【選択図】        図３
2008023006.tif 000002
【特許請求の範囲】
【請求項１】
容器の中に収容された水石けんを水石けん通路を介し供給する水石けん供給器であって、
前記水石けん通路に備えられたシリンダと、
該シリンダ内に設けられ、前記シリンダに対して移動可能な中空状のピストンと、
該ピストンを移動させる手押し部と、
前記ピストンより上流側に設けられ、前記容器から前記シリンダ内への水石けんの流入を許容し、逆流を阻止する上流側逆止弁と、
該上流側逆止弁より下流側に設けられ、前記シリンダ内から前記水石けん通路の出口への水石けんの流出を許容し、逆流を阻止する下流側逆止弁と、
前記ピストンの上流側に設けられ、前記ピストンを前記手押し部側に付勢するピストン付勢スプリングと、を有し、
前記上流側逆止弁および／または前記下流側逆止弁は、
両端に開口部が設けられた中空状のブッシュと、
該ブッシュの内部に収納され、前記ブッシュの上流側の開口部より径が大きいボールと、
該ボールを前記ブッシュの開口部に付勢するボール付勢スプリングと、
該ボール付勢スプリングの一端を係止し、前記ブッシュの下流側の開口部に着脱自在に装着された中空状のブッシュ蓋と、を有し、
前記上流側逆止弁のボールの一部を前記シリンダの内面の前記水石けん通路に当接させることにより、前記容器から前記シリンダ内への水石けんの流れを阻止し、および／または、前記下流側逆止弁のボールの一部を前記ピストンの内面の前記水石けん通路に当接させることにより、前記シリンダ内から前記水石けん通路の出口への水石けんの流れを阻止することを特徴とする水石けん供給器。
【請求項２】
水石けんを収容する容器を備えたことを特徴とする請求項１記載の水石けん供給器。
【請求項３】
前記ブッシュの上流側の開口部には、下流側に向かう切欠きが設けられたことを特徴とする請求項１または請求項２記載の水石けん供給器。
【請求項４】
前記ブッシュ蓋には、前記ボール付勢スプリングを外嵌するガイド部が設けられたことを特徴とする請求項１〜請求項３のいずれかに記載の水石けん供給器。
【請求項５】
前記ブッシュと前記ブッシュ蓋とは、前記ブッシュ蓋に設けられた爪部が前記ブッシュに設けられた孔部にスナップフィットにより嵌合されるようにしたことを特徴とする請求項４記載の水石けん供給器。
【発明の詳細な説明】
【技術分野】
【０００１】
本発明は、洗面台などに用いられる水石けん供給器に関する。詳しくは、容器の中に収容された水石けんを供給する水石けん供給器に関する。
【背景技術】
【０００２】
従来、この種の水石けん供給器として、水石けん通路に２つの逆止弁が設けられ、押圧部材が押圧されることにより、逆止弁（ボール）が開放、閉止され、石けん液の流れが許容、阻止されるという技術が知られていた（たとえば、特許文献１）。しかしながら、この水石けん供給器では、吸入口（開口）に対して逆止弁（ボール）が付勢されていなかったために、逆止弁を開放させることを意図しないときでも、逆止弁が開放してしまい、そこから石けん液が漏れるという問題があった。この問題を解決するために、吸入口（開口）に対して逆止弁（ボール）を付勢するためのスプリングを用い、逆止弁（ボール）を開放させることを意図しないときに、逆止弁（ボール）が開放されないようにするという技術が考えられる。
【０００３】
【特許文献１】特開２００１-３５３０９４号公報
【発明の開示】
【発明が解決しようとする課題】
【０００４】
しかしながら、吸入口（開口）に対して逆止弁（ボール）を付勢するためのスプリングを用いた水石けん供給器では、逆止弁（ボール）をスプリングに接触させた状態で、逆止弁（ボール）を吸入口（開口）に接触させて組み立てることとなるが、逆止弁（ボール）が球状であることなどから、組み立てが容易でなく、組立時に逆止弁（ボール）がスプリングから外れてしまうなどの問題があった。しかも、水石けん供給器の内部の構造が複雑で、その水石けん供給器の内部で作業しなければならない状況ではなおさらであった。そのため、逆止弁（ボール）の位置とスプリングの接触位置がずれた状態で組み立てられた場合には、スプリングの形状が変形することにより、また逆止弁（ボール）が吸入口と固着することにより、押圧部材を押圧しても水石けんが出なくなったり、また逆止弁（ボール）を開放させることを意図しないときに、逆止弁（ボール）が開放してしまうという問題があった。
【０００５】
本発明は、上記課題を解決するためになされたものであり、ボールとスプリングを正確かつ容易に位置決めして逆止弁を組み立てることを可能とし、逆止弁を開放させることを意図しないときに、逆止弁が開放することがない水石けん供給器を提供することを目的とする。
【課題を解決するための手段】
【０００６】
上記課題を解決して上記目的を達成するために、本発明のうち第１の態様に係るものは、
容器の中に収容された水石けんを水石けん通路を介し供給する水石けん供給器であって、水石けん通路に備えられたシリンダと、シリンダ内に設けられ、シリンダに対して移動可能な中空状のピストンと、ピストンを移動させる手押部と、ピストンより上流側に設けられ、容器からシリンダ内への水石けんの流入を許容し、逆流を阻止する上流側逆止弁と、上流側逆止弁より下流側に設けられ、シリンダ内から水石けん通路の出口への水石けんの流出を許容し、逆流を阻止する下流側逆止弁と、ピストンの上流側に設けられ、ピストンを手押部側に付勢するピストン付勢スプリングと、を有し、上流側逆止弁および／または下流側逆止弁は、両端に開口部が設けられた中空状のブッシュと、ブッシュの内部に収納され、ブッシュの上流側の開口部より径が大きいボールと、ボールをブッシュの開口部に付勢するボール付勢スプリングと、ボール付勢スプリングの一端を係止し、ブッシュの下流側の開口部に着脱自在に装着された中空状のブッシュ蓋と、を有し、上流側逆止弁のボールの一部をシリンダの内面の水石けん通路に当接させることにより、容器からシリンダ内への水石けんの流れを阻止し、および／または、下流側逆止弁のボールの一部をピストンの内面の水石けん通路に当接させることにより、シリンダ内から水石けん通路の出口への水石けんの流れを阻止することを特徴とする。
【０００７】
このように構成された水石けん供給器では、ブッシュの開口部にボールを接触させた状態で、ボール付勢スプリングを装着させて、この状態でブッシュ蓋をブッシュの下流側の開口部に装着して、上流側逆止弁および／または下流側逆止弁が組み立てられる。このように、ボールがボール付勢スプリングよりブッシュの上流側の開口部に付勢された状態で、ブッシュ蓋でボール付勢スプリングを固定させるので、ボールをブッシュの上流側の開口部の適切な位置に位置決めでき、ボールとボール付勢スプリングの接触位置も適切な位置になるように組み立てることができる。さらに、上流側逆止弁および／または下流側逆止弁があらかじめ組み立てられた状態で、上流側逆止弁のボールの一部がシリンダの内面の水石けん通路に当接されるように、および／または、下流側逆止弁のボールの一部がピストンの内面の水石けん通路に当接されるように装着させて水石けん供給器が組み立てられるので、水石けん供給器の組み立てが容易である。また、逆止弁のボールとボール付勢スプリングの接触位置がずれた状態で組み立てられていないので、手押部を押圧しても水石けんが出なくなったり、また逆止弁を開放させることを意図しないときに、逆止弁が開放してしまうということがない。これにより、必要なときだけに所定量の水石けんを水石けん通路の出口から吐出させることができる。
【０００８】
また、仮にボール付勢スプリングとボールの接触位置がずれた場合や、ブッシュの上流側の開口部とボールの接触位置がずれた場合でも、接触位置を再調整すれば足り、またその再調整も上流側逆止弁および／または上流側逆止弁単独で行うことができるので、容易に行うことができる。
【０００９】
本発明のうち第２の態様に係るものは、第１の態様に係る水石けん供給器であって、水石けんを収容する容器を備えたことを特徴とする。
【００１０】
本発明のうち第３の態様に係るものは、第１の態様または第２の態様に係る水石けん供給器であって、ブッシュの上流側の開口部には、下流側に向かう切欠きが設けられたことを特徴とする。
【００１１】
このように構成された水石けん供給器では、ブッシュの上流側の開口部に下流側に向かう切欠きが設けられているので、その切欠きが流路となり、たとえ、逆止弁で流路が絞られたとしても、十分な流路を確保でき、水石けんの流量が低下することなく、所望量の水石けんを水石けん通路の出口から吐出させることができる。
【００１２】
本発明のうち第４の態様に係るものは、第１から第３のいずれかの態様に係る水石けん供給器であって、ブッシュ蓋には、ボール付勢スプリングを外嵌するガイド部が設けられたことを特徴とする。
【００１３】
このように構成された水石けん供給器では、ブッシュ蓋にボール付勢スプリングを外嵌するガイド部が設けられているので、このガイド部がボール付勢スプリングの変形を抑え、手押部を押圧しても水石けんが出なくなったり、また逆止弁を開放させることを意図しないときに、逆止弁が開放してしまうということをさらに防止することができる。
【００１４】
本発明のうち第５の態様に係るものは、第４の態様に係る水石けん供給器であって、ブッシュとブッシュ蓋とは、ブッシュ蓋に設けられた爪部がブッシュに設けられた孔部にスナップフィットにより嵌合されるようにしたことを特徴とする。
【００１５】
このように構成された水石けん供給器では、ブッシュとブッシュ蓋とは、ブッシュ蓋に設けられた爪部がブッシュに設けられた孔部にスナップフィットにより嵌合されるので、ガイド部にボール付勢スプリングを嵌め込んだ状態で、ボールをボール付勢スプリングに載せ、この状態でブッシュ蓋をブッシュに真っ直ぐ挿入して固定することができる。これにより、ボール付勢スプリングが捻じ曲がることなく真っ直ぐ取り付けることができる。
【発明の効果】
【００１６】
本発明の水石けん供給器によれば、ボールとスプリングを正確かつ容易に位置決めして組み立てることができるとともに、逆止弁を開放させることを意図しないときに、逆止弁が開放することを回避することができる。
【発明を実施するための最良の形態】
【００１７】
以下、本発明の水石けん供給器の一実施形態について図面を参照にしながら説明する。
図１は、本発明の一実施形態における水石けん供給器の取付構成を示す図である。
【００１８】
図１に示すように、洗面台７には、水石けん供給器１と、吐水ノズル８が備えられている。水石けん供給器１は、水石けん容器２と、水石けんチューブ３と、固定金具４と、供給栓本体５とから構成されている。
【００１９】
水石けん容器２は、水石けんを収容するための容器であり、供給栓本体５は、水石けん容器２に収容された水石けんを吐出させるものである。この水石けん容器２と供給栓本体５とは、水石けんホース（図示略）内に収装された水石けんチューブ３により連通されており、水石けん容器２の水石けんは、水石けんチューブ３を介して供給栓本体５に供給される。なお、本実施形態では、水石けんの流れに沿って、水石けん容器２側を上流側、またその逆を下流側として説明する。
【００２０】
水石けん容器２と水石けんチューブ３および水石けんホース（図示略）とは、着脱自在に装着されている。具体的には、水石けん容器２の開口部の外周面に設けられた雄螺子と、水石けん容器２の蓋２ａの内周面に設けられた雌螺子が螺合され、その蓋２ａの先端の筒状部に水石けんチューブ３が挿着され、水石けんホース（図示略）が外嵌されるようにして、着脱自在に装着されている。なお、取付金具６は、水石けん容器２を壁面などに固定するためのものである。
【００２１】
次に、本発明の水石けん供給器について図２を参照にしながら説明する。図２は、本発明の一実施形態における水石けん供給器の一部断面図である。
【００２２】
水石けん供給器１は、供給栓本体５が固定金具４に固定されることにより、洗面台７の縦壁面に装着される。なお、供給栓本体５は、以下に示す（１）〜（６）の順序で工場にて予め組み立てられており、施工現場では以下に示す（イ），（ロ）の手順にて施工される。なお、本発明の水石けん供給器１は、下記の組立順序，施工順序で組み立てられるものに限定されるものでなく、他の組立順序，施工順序で組み立てられるものであってもよい。
【００２３】
＜組立順序＞
（１）  締付ナット２９とＯリング３５が手押部本体３１に装着され、手押部本体３１の上流側に下流側逆止弁３４が装着される。
（２）  Ｕパッキン２０とＯリング３６が装着されたピストン１９が、手押部本体３１に締め付けられる。
（３）  下流側シリンダ１７にＯリング２８とＯリング１８を取り付けた状態で、それに上流側シリンダ１６を締め付ける。
（４）  ピストン付勢スプリング２７がピストン１９に取り付けられ、さらにピストン付勢スプリング２７に上流側逆止弁２２が装着された状態で、それにシリンダ１５が差し込まれる。
（５）  その後、その外周にＯリング１４が取り付けられた本体カバー１１が締付ナット２９により締め付けられる。
（６）  手押部ガイド３２と手押し部カバー３３が手押部本体３１に装着され、またキャップ３０が挿入後に締め付けられる。
【００２４】
＜施工順序＞
（イ）  まず、座金１０９とパッキン１０が取り付けられた固定金具４が、壁面の裏側から挿入され、壁面の表側からリング１０８を介しナット９により固定される。
（ロ）  上記の（１）〜（６）にて組立られた供給栓本体５が固定金具４に固定される。つまり、供給栓本体５をリング１０８の外周に嵌め込み、螺子孔１２に挿入された止め螺子１３の先端がリング１０８に押圧されることにより、供給栓本体５が前後方向移動及び回転移動が規制された状態で固定金具４に固定される。なお、固定金具４の後端と本体カバー１１の内周との間はＯリング１４によってシールされた状態で当接しており、供給栓本体５に対する上下や左右方向からの荷重を固定金具４を介して壁面へ伝達することにより、供給栓本体５を壁面にて支持するように構成されている。
【００２５】
以下の上述した組立順序，施工順序で組み立てられた水石けん供給器１の各構成について具体的に説明する。
【００２６】
（固定金具４）
水石けん供給器１は、上述したようにまず固定金具４が壁面に固定される。固定金具４は、供給栓本体５および管継手（図示略）を固定するものである。固定金具４は、中空状で、筒状の部材である。そして、図２に示すように固定金具４の外周面には雄螺子が形成されている。
【００２７】
固定金具４は、上述したように固定金具４の外径と略同径の壁面に設けられた孔に挿入され、壁面の反対側で、リング１０８を介し、ナット９で固定される。具体的には、ナット９の内周面の雌螺子と固定金具４の外周面の雄螺子とが螺合されることにより、固定金具４が壁面に固定されている。なお、壁面と固定金具４の間には、座金１０９、パッキン１０が挟着されている。
【００２８】
（供給栓本体５）
本体カバー１１は、中空状で、図２に示すように下流側の外径が小さく形成されている。本体カバー１１の下部には、螺子孔１２が設けられ、この螺子孔１２に止め螺子１３を螺合させることにより、固定金具４と本体カバー１１が固定される。なお、固定金具４の外周面と本体カバー１１の内周面の間にＯリング１４が設けられている。
【００２９】
シリンダ１５は、上流側シリンダ１６と下流側シリンダ１７から構成されている。上流側シリンダ１６は、図２に示すように先端の径が小さくなっている。そして、上流側シリンダ１６の先端には、細い筒状部１６ａが設けられ、この筒状部１６ａに、水石けんチューブ３が装着される。また、下流側シリンダ１７の先端部分は径が小さく形成され、後端部分は径が大きく形成されている。
【００３０】
上流側シリンダ１６と下流側シリンダ１７は着脱自在に装着されている。具体的には、上流側シリンダ１６の内周面には雌螺子が形成され、下流側シリンダ１７の先端部分の外周面には雄螺子が形成されている。そして、上流側シリンダ１６の内周面の雌螺子と下流側シリンダ１７の外周面の雄螺子が螺合されることにより着脱自在に装着されている。なお、上流側シリンダ１６の内周面と下流側シリンダ１７の外周面の間にＯリング１８が設けられている。また、本体カバー１１の内周面と下流側シリンダ１７の外周面の間にもＯリング２８が設けられている。
【００３１】
下流側シリンダ１７の内部には、外径が下流側シリンダ１７の内径とほぼ同径のピストン１９が設けられている。ピストン１９は、内部が中空状で、下流側シリンダ１７内を往復運動する。ピストン１９の後方（下流側）には、外径が下流側シリンダ１７の後端部分の内径とほぼ同径の突起１９ａが設けられている。この突起１９ａは、ピストン１９の移動を案内するものである。具体的には、この突起１９ａは、下流側シリンダ１７後端の径が大きくなった部分の内面に沿って移動し、下流側シリンダ１７の径が小さくなったところの段部付近まで移動する。なお、下流側シリンダ１７とピストン１９の間にはＵパッキン２０が設けられている。
【００３２】
シリンダ１５の内部の先端部分には、上流側逆止弁２２が設けられている。この上流側逆止弁２２は、水石けん容器２からシリンダ１５内への水石けんの流入を許容し、逆流を阻止するものである。具体的に、上流側逆止弁２２は、両端に開口部２３ａ、２３ｂが設けられた中空状のブッシュ２３と、ブッシュ２３の内部に収納され、ブッシュ２３の上流側の開口部２３ａより径が大きいボール２４と、ボール２４をブッシュ２３の開口部２３ａに付勢するボール付勢スプリング２５と、ボール付勢スプリング２５の一端を係止し、ブッシュ２３の下流側の開口部２３ｂに着脱自在に装着された中空状のブッシュ蓋２６とにより構成されている（図３参照）。この上流側逆止弁２２のブッシュ２３の先端部分には、突起部２３ｃが設けられ、この突起部２３ｃを含むブッシュ２３の先端部分が上流側シリンダ１６の内面に設けられた段部と当接される。また、ブッシュ２３の開口部２３ａには、下流側に向かう切欠き２３ｄ（スリット）が設けられている（図３参照）。この切欠き２３ｄは、水石けんの流路を大きく確保するためのもので、この切欠き２３ｄが設けられることにより、たとえ、上流側逆止弁２２で流路が絞られたとしても、十分な流路を確保でき、水石けんの流量が低下することなく、所望量の水石けんを吐出させることができる。
【００３３】
上流側逆止弁２２とピストン１９の間には、ピストン付勢スプリング２７が設けられている。このピストン付勢スプリング２７は、一端をブッシュ２３の先端部分に設けられた突起部２３ｃに係止され、他端をピストン１９の上流側に設けられた突起部１９ｂに外嵌されている。このようにして、ピストン付勢スプリング２７は、ピストン１９を下流側に付勢するとともに、上流側逆止弁２２を上流側に付勢している。
【００３４】
締付ナット２９は、中空状の部材である。この締付ナット２９により、本体カバー１１、シリンダ１５、ピストン１９などが一体的に固定される。具体的には、本体カバー１１にシリンダ１５およびピストン１９などが挿着された状態で、中空状の締付ナット２９の外周面の雄螺子と本体カバー１１の内周面の雌螺子を螺合させて、本体カバー１１にシリンダ１５およびピストン１９などが固定される。
【００３５】
手押部２１は、ピストン１９を移動させるものである。具体的には、手押部２１を押圧させることにより、ピストン１９が上流側に移動され、そして、手押部２１が押圧されなくなると、ピストン付勢スプリング２７の付勢力により、ピストン１９が下流側に移動される。
【００３６】
手押部２１は、手押部本体３１、手押部ガイド３２、手押部カバー３３を有している。手押部本体３１は、内部が中空状で、上流側に下流側逆止弁３４が挿着され、下流側には筒状のキャップ３０が挿着されている。具体的には、図２に示すようにキャップ３０の外周面に雄螺子が形成され、手押部本体３１の内周面に雌螺子が形成されている。そして、キャップ３０の外周面の雄螺子と手押部本体３１の内周面の雌螺子を螺合させて、キャップ３０と手押部本体３１が固定される。
【００３７】
また、下流側逆止弁３４が装着された手押部本体３１の先端部分が、ピストン１９の内部に挿着されている。具体的には、手押部本体３１の先端部分の外周面には雄螺子が形成され、ピストン１９の内周面には雌螺子が形成されている。そして、ピストン１９の内周面の雌螺子と手押部本体３１の先端部分の外周面の雄螺子が螺合されることにより、手押部本体３１の先端部分がピストン１９の内部に挿着される。
【００３８】
下流側逆止弁３４は、シリンダ１５内から水石けん通路の出口（キャップ３０の出口）への水石けんの流出を許容し、逆流を阻止するものである。この下流側逆止弁３４は、上述した上流側逆止弁２２と同一構造をしている。すなわち、下流側逆止弁３４は、両端に開口部２３ａ、２３ｂ が設けられた中空状のブッシュ２３と、ブッシュ２３の内部に収納され、ブッシュ２３の上流側の開口部２３ａより径が大きいボール２４と、ボール２４をブッシュ２３の開口部２３ａに付勢するボール付勢スプリング２５と、ボール付勢スプリング２５の一端を係止し、ブッシュの下流側の開口部２３ｂに着脱自在に装着された中空状のブッシュ蓋２６とにより構成されている（図３参照）。この下流側逆止弁３４のブッシュ２３の先端部分は、図２に示すようにピストン１５の内面に設けられた段部と当接される。
【００３９】
このようにして、水石けんが通過する通路が形成される。具体的には、水石けん容器２から、水石けんチューブ３、上流側シリンダ１６の中空部、上流側逆止弁２２の中空部、下流側シリンダ１７の中空部、下流側逆止弁３４、手押部本体３１の中空部、キャップ３０の中空部により、水石けんが通過する通路（水石けん通路）が形成され、この水石けん通路を通過することによりキャップ３０の先端部（出口）から水石けんが吐出される。
【００４０】
また、ブッシュ２３の開口部２３ａには、下流側に向かう切欠き２３ｄ（スリット）が設けられている（図３参照）。この切欠き２３ｄは、上述したように、水石けんの流路を大きく確保するためのもので、この切欠き２３ｄが設けられることにより、たとえ、下流側逆止弁３４で流路が絞られたとしても、十分な流路を確保でき、水石けんの流量が低下することなく、所望量の水石けんを吐出させることができる。なお、手押部本体３１の内周面とキャップ３０の外周面の間にはＯリング３５が設けられている。また、手押部本体３１の外周面とピストン１９の内周面の間にもＯリング３６が設けられている。
【００４１】
手押部カバー３３は、手押部本体３１を覆うように形成され、手押部本体３１と手押部カバー３３の間に、手押部ガイド３２が挿着されている。手押部ガイド３２は、手押部２１が押圧されたときに、手押部２１の移動を案内するものである。具体的には、手押部ガイド３２は、手押部２１が押圧されることにより、本体カバー１１の後端部（下流側）で径が小さくなった案内面１１ａ上を摺動しながら移動する。そして、図２に示す手押部ガイド３２の径が小さくなったところの段部付近まで移動する（図４参照）。
【００４２】
次に、上述した上流側逆止弁および上流側逆止弁と構造を同じくする下流側逆止弁について説明する。図３は、本発明の一実施形態における水石けん供給器に用いられる逆止弁を示す図である。
【００４３】
図３に示すように、上流側逆止弁２２および上流側逆止弁２２と構造を同じくする下流側逆止弁３４は、ブッシュ２３の一端部（下流側）の開口部２３ｂからボール２４が挿入され、ボール２４が挿入された後に、ボール２４を付勢するボール付勢スプリング２５が挿入される。そして、この状態でブッシュ２３の下流側の開口部２３ｂにブッシュ蓋２６が挿着される。このブッシュ蓋２６の外周面には雄螺子が形成され、またブッシュ２３の内周面には雌螺子が形成されている。また、ブッシュ蓋２６には、ボール付勢スプリング２５を外嵌するガイド部２６ａが設けられている。そして、ボール付勢スプリング２５をガイド部２６ａに外嵌させた状態で、ブッシュ２３の内周面の雌螺子とブッシュ蓋２６の外周面の雄螺子が螺合されることにより、ブッシュ蓋２６がブッシュ２３に着脱自在に装着される。このように、ブッシュ蓋２６に、ボール付勢スプリング２５を外嵌するガイド部２６ａが設けることにより、このガイド部２６ａがボール付勢スプリング２５の変形を抑え、手押部２１を押圧しても水石けんが出なくなったり、また逆止弁２２、３４を開放させることを意図しないときに、逆止弁２２、３４が開放してしまうということを防止することができる。
【００４４】
次に、水石けん供給器の動作について図４を参照にしながら説明する。図４は、本発明の一実施形態における水石けん供給器の手押部が押圧されている状態を示す断面図である。
【００４５】
図２に示す水石けん供給器１の状態から、手押部２１が押圧されることにより図４に示す水石けん供給器１の状態に移行する。手押部２１が押圧されれば、ピストン１９がピストン付勢スプリング２７に反して、上流側の方向に移動され、上流側逆止弁２２は閉止され、下流側逆止弁３４は開放される。これにより、上流側逆止弁２２から下流側逆止弁３４の間のシリンダ１５内の水石けんが、手押部本体３１の中空部を介し、水石けん通路の出口（キャップ３０の出口）から吐出される。
【００４６】
このように、上流側逆止弁２２により、上流側逆止弁２２のボール２４の一部がシリンダ１９の内面の水石けん通路と当接されることにより、水石けん容器２からシリンダ１５内への水石けんの流れが阻止される。また、下流側逆止弁３４により、下流側逆止弁３４のボール２４が下流側逆止弁３４の開口部２３ａ（図３参照）から離れることにより、下流側逆止弁３４が開放され、シリンダ１５内の水石けんが、下流側逆止弁３４の中空部、手押部本体３１の中空部を介し、水石けん通路の出口（キャップ３０の出口）から吐出される。この際、下流側逆止弁３４のブッシュ２３の開口部２３ａには、下流側に向かう切欠き２３ｄが設けられているので、その切欠き２３ｄが水石けんの流路となり、たとえ、下流側逆止弁３４で水石けんの流路が絞られたとしても、十分な流路を確保でき、水石けんの流量を低下させることなく、所望量の水石けんを水石けん通路の出口から吐出させることができる。
【００４７】
そして、図４に示す水石けん供給器１の状態から、手押部２１の押圧が開放されることにより図２に示す水石けん供給器１の状態に移行する。手押部２１の押圧が開放されれば、ピストン１９がピストン付勢スプリング２７の付勢力により、下流側の方向に移動され、上流側逆止弁２２は開放され、下流側逆止弁３４は閉止される。これにより、水石けん容器２内の水石けんが吸い込まれ、その水石けんを上流側逆止弁２２から下流側逆止弁３４の間のシリンダ１５内に収容させることができる。
【００４８】
このように、下流側逆止弁３４により、下流側逆止弁３４のボール２４の一部がピストン１９の内面の水石けん通路に当接されることにより、シリンダ１５内から水石けん通路の出口への水石けんの流れが阻止される。また、上流側逆止弁２２により、上流側逆止弁２２のボール２４が上流側逆止弁２２の開口部２３ａ（図３参照）から離れることにより、上流側逆止弁２２が開放され、水石けん容器２内の水石けんを、水石けんチューブ３、上流側逆止弁２２を介し、シリンダ１５内に収容することができる。この際、上流側逆止弁２２のブッシュ２３の開口部２３ａには、下流側に向かう切欠き２３ｄが設けられているので、その切欠き２３ｄが水石けんの流路となり、たとえ、上流側逆止弁３４で水石けんの流路が絞られたとしても、十分な流路を確保でき、水石けんの流量を低下させることなく、所望量の水石けんをシリンダ１５内に収容することができる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される
【００５０】
次に本発明の変形例について説明する。
（１）  本実施形態では、水石けん容器２と、水石けんチューブ３と、固定金具４と、供給栓本体５とから水石けん供給器１が構成されていると説明したが、これに限らず、水石けん容器２と、固定金具４と、供給栓本体５により水石けん供給器１を構成させてもよく、さらに、固定金具４と、供給栓本体５により水石けん供給器１を構成させてもよい。
【００５１】
（２）  本実施形態の逆止弁２２、３４では、ブッシュ２３の内周面の雌螺子とブッシュ蓋２６の外周面の雄螺子が螺合されることにより、ブッシュ蓋２６がブッシュ２３に着脱自在に装着されるようにしたが、これに限らず、図５に示すように、ブッシュ蓋２６の外周面に爪部２６ｂが形成され、またブッシュ２３の側面に孔部２３ｅが形成され、そして、ブッシュ２３の開口部２３ｂにブッシュ蓋２６を挿入させ、ブッシュ２３の側面の孔部２３ｅとブッシュ蓋２６の外周面の爪部２６ｂを係止させることにより、ブッシュ蓋２６がブッシュ２３に着脱自在に装着されるようにしてもよい。
【００５２】
このようにすれば、ガイド部２６ａにボール付勢スプリング２５を外嵌させた状態でボール２４をボール付勢スプリング２５に載せ、そして、この状態でガイド部２６ａが設けられているブッシュ蓋２６の爪部２６ｂをブッシュ２３の孔部２３ｅにスナップフィットにより固定されるので、ボール付勢スプリング２５が捻じ曲がることなく真っ直ぐ取り付けることができる。
【図面の簡単な説明】
【００５３】
【図１】本発明の一実施形態における水石けん供給器の上面図である。
【図２】本発明の一実施形態における水石けん供給器の一部断面図である。
【図３】本発明の一実施形態における水石けん供給器に用いられる逆止弁を示す図である。
【図４】本発明の一実施形態における水石けん供給器の手押部が押圧されている状態を示す断面図である。
【図５】本発明の変形例における水石けん供給器に用いられる逆止弁を示す図である。
【符号の説明】
【００５４】
１  水石けん供給器
２  水石けん容器
３  水石けんチューブ
４  固定金具
５  供給栓本体
１５  シリンダ
１６  上流側シリンダ
１７  下流側シリンダ
１９  ピストン
２１  手押部
２２  上流側逆止弁
２３  ブッシュ
２４  ボール
２５  ボール付勢スプリング
２６  ブッシュ蓋
２６ａ  ガイド部
２７  ピストン付勢スプリング
３４  下流側逆止弁
【図１】
2008023006.tif 000003
【図２】
2008023006.tif 000004
【図３】
2008023006.tif 000005
【図４】
2008023006.tif 000006
【図５】
2008023006.tif 000007